(57)【要約】【課題】  簡単な方法で木質ボード製の芯材の外周を合板製の枠材で囲んだ床材を複数一度に製造することができて、生産性が向上する。【解決手段】  合板製の一対の前後の枠材１と合板製の一対の左右の枠材２とを矩形状に枠組みし且つ左右の枠材２間に該左右の枠材２と平行に１又は複数の合板製の中間の枠材３を架設することで構成される枠体４と、この枠体４内に内在されて外周を各枠材１、２、３に接着された木質小片又は木質繊維を原料とした枠材１、２、３と同じ厚みの木質ボード製の芯材５とで大判基板６を形成する。この大判基板６を任意の中間の枠材３の巾の１／２の位置で当該中間の枠材３の長手方向と平行な方向に切断して複数の床材７を形成する。【選択図】        図１
2005088245.tif 000002
【特許請求の範囲】
【請求項１】
合板製の一対の前後の枠材と合板製の一対の左右の枠材とを矩形状に枠組みし且つ左右の枠材間に該左右の枠材と平行に１又は複数の合板製の中間の枠材を架設することで構成される枠体と、この枠体内に内在されて外周を各枠材に接着された木質小片又は木質繊維を原料とした枠材と同じ厚みの木質ボード製の芯材とで大判基板を形成し、この大判基板を任意の中間の枠材の巾の１／２の位置で該中間の枠材の長手方向と平行な方向に切断して複数の床材を形成することを特徴とする床材の製造方法。
【請求項２】
中間の枠材の巾を両端部に位置する左右の枠材の２倍の巾とすることを特徴とする請求項１記載の床材の製造方法。
【請求項３】
大判基板の片面に補強シートを積層接着することを特徴とする請求項１又は請求項２記載の床材の製造方法。
【発明の詳細な説明】
【技術分野】
【０００１】
本発明は、パーチクルボード、ＭＤＦ、ＯＢＳ等の木質ボードを芯材として用いる床材に関するものである。
【背景技術】
【０００２】
従来の床材は合板を基板とするものである。ところが、合板は天然木から生産されるので、コストが高く、また、合板を製造するために天然木を大量に伐採することは地球環境の面からも問題がある。
【０００３】
一方、林地残廃材、小径木、製材・合板工場廃材、製紙未利用低質チップ、建築解体材等を利用してこれらの木材を小片化あるいは繊維化してパーチクルボード、ＭＤＦ、ＯＢＳ等の木質ボードを形成して建築用材として利用することが行われている。これらの木質ボードはコストが安いだけでなく資源の有効利用という観点からも好ましいものである。ところが、このような木質ボードは実加工ができない、耐水性が悪い等の理由により床材として使用されていないのが現状である。
【０００４】
そこで、合板よりなる枠体内に木質ボードの一種であるインシュレーションボードからなるコアー材を内在させて基板を形成するものが従来から知られている。（例えば特許文献１参照）
上記の特許文献１に示された従来例にあっては、周囲を合板からなる角材を四方枠組して枠体を形成し、この枠体内にインシュレーションボードからなるコアー材を周囲密着接合状態で入れ込んで基板を形成しているので、枠体部分に実加工を施すことも可能で、また、インシュレーションボードの外周を枠体で囲むことで耐水性も向上させることができる。
【０００５】
ところが、上記従来例にあっては、目的とするサイズの基板を形成するにはいちいち目的とするサイズに合板よりなる枠体を一枚ずつ枠組みし、枠体内にコアー材を内在させて接着一体化することで一枚一枚製造する必要があり、生産性が悪いという問題がある。
【特許文献１】特開平９−６０２３６号公報
【発明の開示】
【発明が解決しようとする課題】
【０００６】
本発明は上記の従来の問題点に鑑みて発明したものであって、簡単な方法で木質ボード製の芯材の外周を合板製の枠材で囲んだ床材を複数枚一度に製造することができて、生産性が向上する床材の製造方法を提供することを課題とするものである。
【課題を解決するための手段】
【０００７】
上記課題を解決するために本発明に係る床材の製造方法は、合板製の一対の前後の枠材１と合板製の一対の左右の枠材２とを矩形状に枠組みし且つ左右の枠材２間に該左右の枠材２と平行に１又は複数の合板製の中間の枠材３を架設することで構成される枠体４と、この枠体４内に内在されて外周を各枠材１、２、３に接着された木質小片又は木質繊維を原料とした枠材１、２、３と同じ厚みの木質ボード製の芯材５とで大判基板６を形成し、この大判基板６を任意の中間の枠材３の巾の１／２の位置で当該中間の枠材３の長手方向と平行な方向に切断して複数の床材７を形成することを特徴とする。
【０００８】
このような方法を採用することで、木質ボード製の芯材５の外周を該芯材５と同じ厚みの合板製の枠材１、２、３で一体に囲んだ床材７を複数枚同時に製造することができるものである。そして、このようにして得た床材７は木質ボードを芯材５として用いているので、資源の有効利用が図れ、コストが安く、しかも多数個同時に製造すると言えども製造される床材７は木質ボード製の芯材５の外周を合板製の枠材１、２、３で囲んであるので、この合板製の枠材部分において実加工を施すことも可能となり、また、外周の防水性能を向上させることができることになる。
【０００９】
また、中間の枠材３の巾を両端部に位置する左右の枠材２の２倍の巾とすることが好ましい。
【００１０】
このような方法を採用することで、中間の枠材３の巾の１／２の位置で当該中間の枠材３の長手方向と平行な方向に大判基板６を切断して得た複数の床材７はいずれも左右方向の両端部に位置する左又は右の枠材２と、切断された中間の枠材３の巾が同じになり、これにより左右対称な床材７を多数個取りできるものである。
【００１１】
また、大判基板６の片面に補強シート８を積層接着することが好ましい。
【００１２】
このような方法を採用することで、片面に補強シート８を積層接着した強度の強い床材７を一度に同時に複数枚製造できて生産性が向上するものである。
【発明の効果】
【００１３】
本発明は、木質ボード製の芯材の外周を該芯材と同じ厚みの合板製の枠材で一体に囲んだ床材を簡単な方法で一度に複数枚同時に製造できて生産性が向上するものであり、また、製造された床材は木質ボード製の芯材を用いているので、資源の有効利用が図れ、コストが安く、しかも多数個同時に製造すると言えども製造される床材は木質ボード製の芯材の外周を合板製の枠材で囲んであるので、この枠材部分において実加工を施すことも可能となり、また、外周に直接木質ボードが露出せずに外周の防水性能を向上させることができる。
【発明を実施するための最良の形態】
【００１４】
以下、本発明を添付図面に示す実施形態に基いて説明する。
【００１５】
大判基板６は、合板製の一対の前後の枠材１と合板製の一対の左右の枠材２とを矩形状に枠組みし且つ左右の枠材２間に該左右の枠材２と平行に１又は複数の合板製の中間の枠材３を架設することで構成される枠体４と、この枠体４内に内在されて外周を各枠材１、２、３に接着された木質小片又は木質繊維を原料とした木質ボード製の芯材５とで構成してある。
【００１６】
この大判基板６を形成するに当たっては、予め一対の前後の枠材１、一対の左右の枠材２、左右の枠材２と平行な中間の枠材３を枠組して枠体４を形成し（ここで中間の枠材３を1本使用する場合には「日」字状に枠組みし、中間の枠材３を２本使用する場合には「目」字状に枠組みするが、中間の枠材３は３本以上使用してもよい）、その後、枠体４内の上記枠材１、２、３に囲まれた矩形をした複数の空所内に該空所と同じサイズの木質ボード製の芯材５を嵌め込んで内在させると共に木質ボード製の芯材５の外周を各枠材１、２、３に酢酸ビニル、ウレタン、エポキシ系の接着剤により接着して大判基板６を形成したり、あるいは、複数の木質ボード製の芯材５を一定の隙間を介して左右方向に並べ、隣接する芯材５間に中間の枠材３を配置して接着すると共に左右両端部に位置する芯材５の左右方向の外端部にそれぞれ左右の枠材２を配置して接着し、更に、各芯材５の前端部、左右の枠材２、中間の枠材３の前端部に沿わせて前の枠材１を配置して接着すると共に、各芯材５の後端部、左右の枠材２、中間の枠材３の後端部に沿わせて後の枠材１を配置して接着するというように、芯材５の配置と枠体４の枠組みとを同時に行って大判基板６を形成するようにしてもよく、あるいは、他の方法で大判基板６を形成してもよく、本発明においては、大判基板６の製造方法については特に限定するものではない。
【００１７】
芯材５として使用する木質ボードは例えばパーチクルボード、ＭＤＦ，ＯＳＢ（フェノール系、メラミン尿素系）の９〜１１ｍｍ厚のものを用いてある。
【００１８】
合板製の枠材１、２、３はいずれも芯材５と同じ厚みのものが用いられる（つまり９〜１１ｍｍ厚のものがもちいられる）。ここで、中間の枠材３としては巾が左右の枠材２の巾の２倍のものが用いられる。例えば、左右の枠材２の巾が２５ｍｍの場合には中間の枠材３の巾は５０ｍｍとする。
【００１９】
大判基板６の片面（実施形態では表面）には１〜３ｍｍ厚のＭＤＦ、ケナフ、古紙含浸紙よりなる補強シート８がウレタン系、エポキシ系、アクリル系の接着剤により積層一体化してあって、大判基板６の表面強化を図り、特に、耐キャスター性を向上させ、また、表面に凹凸が生じないようにしている。
【００２０】
本発明においては、上記の構成の大判基板６を切断して一度に同時に複数の床材７を得るのであるが、この場合、本発明においては、上記大判基板６を任意の中間の枠材３の巾の１／２の位置で当該中間の枠材３の長手方向と平行な方向に切断して複数の床材７を形成するのである。例えば、図１（ａ）のように中間の枠材３を２本設けている大判基板６において、一枚の大判基板６から３枚の床材７を形成できるのであるが、この場合には図１（ａ）のＡ−Ａ線、Ｂ−Ｂ線で切断することで、図１（ｂ）のように同じサイズの複数枚（図の実施形態では３枚）の床材７を製造することができる（このようにして３×６サイズの大判基板６から１×６サイズの３枚の床材７を製造することができる）。
【００２１】
上記のようにして得た床材７は図３に示すようなもので、木質ボード製の芯材５の外周を枠材１、２、３で囲み且つ表面に補強シート８が一体に積層されたものである。
【００２２】
そして、図４に示すように、裏面の耐水性能向上及び製品の反り矯正のために床材７の裏面に単板又は防湿シートよりなる裏面シート９を接着し、その後、表面に天然木質単板又は化粧樹脂シートよりなる表面化粧材１０を接着し、その後の工程は一般的な床材の製造工程と同じであり、表面サンディング〜着色〜乾燥〜下塗り〜中塗り〜上塗り〜検査・梱包を行う。
【００２３】
ところで、上記工程の任意の段階で必要に応じて図５に示すように、床材７に側端部に雄実１１や雌実１２を形成する実加工を行なうものであり、この場合、床材７の主体部分が木質ボード製であるにもかかわらず、木質ボード製の芯材５の外周に合板製の枠材１、２、３が存在するので、この合板製の枠材１又は２又は３部分において従来と同様に実加工を行うことができるものである。
【００２４】
なお、本発明により得た床材７を施工する際、該床材７をカットした場合には木口に接着剤（ウレタン又は酢ビ系）を接着することで、木質ボード製の芯材５が木口部分に露出してもこの部分の耐水性能を確保することができるようにする。
【００２５】
また、本発明により得た床材７は撓み強度については全部が合板製の床材に比べて弱いので捨て張り施工が基本となるが、根太ピッチを狭めると根太施工も可能である。
【図面の簡単な説明】
【００２６】
【図１】本発明の床材の製造順序を示し、（ａ）は大判基板を示す平面図であり、（ｂ）は大判基板を（ａ）のＡ−Ａ線、Ｂ−Ｂ線でカットして得た複数の床材を示す平面図である。
【図２】同上の図１（ａ）のＣ−Ｃ線の断面図である。
【図３】同上の図１（ｂ）のＤ−Ｄ線の断面図である。
【図４】同上の表面化粧材及び裏面シートを積層した断面図である。
【図５】同上の実加工を施した状態の断面図である。
【符号の説明】
【００２７】
１  枠材
２  枠材
３  枠材
４  枠体
５  芯材
６  大判基板
７  床材
８  補強シート
【図１】
2005088245.tif 000003
【図２】
2005088245.tif 000004
【図３】
2005088245.tif 000005
【図４】
2005088245.tif 000006
【図５】
2005088245.tif 000007